(57)【要約】      （修正有）【課題】複数の商品を見栄えよく収納しながら、搬送時においても位置ずれしないように安定して保持する。簡単な構造として組み立て作業を簡素化しながら、複数の商品を短時間で効率よくセットして作業効率を向上する。【解決手段】商品収納ケースは、包装された複数の商品３を収納する商品収納ケースであって、上方に開口され、商品３を配置するための商品配置空間１１を複数区画した内トレイ１と、内トレイ１の周囲を覆う被覆部２とを備え、内トレイ１は、各商品配置空間１１において、商品３を置くための傾斜面をそれぞれ形成しており、各傾斜面の傾斜角度は、鉛直面に対して２０度〜８０度の範囲に傾斜されており、被覆部２は、内トレイ１の周囲を覆う際に、内トレイ１の商品配置空間１１に収納された状態の各商品３の表面に接触して押圧する押圧部を設けており、各商品３を内トレイ１の傾斜面と被覆部２の押圧部とで狭持している。【選択図】図３
2015009883.tif 000002
【特許請求の範囲】
【請求項１】
包装された複数の商品を収納する商品収納ケースであって、
上方に開口され、商品を配置するための商品配置空間を複数区画した内トレイと、
前記内トレイの周囲を覆う被覆部と
を備え、
前記内トレイは、各商品配置空間において、商品を置くための傾斜面をそれぞれ形成しており、
各傾斜面の傾斜角度は、鉛直面に対して２０度〜８０度の範囲に傾斜されており、
前記被覆部は、前記内トレイの周囲を覆う際に、内トレイの商品配置空間に収納された状態の各商品の表面に接触して押圧する押圧部を設けており、これにより各商品は内トレイの傾斜面と被覆部の押圧部とで狭持されて保持されてなることを特徴とする商品収納ケース。
【請求項２】
請求項１に記載の商品収納ケースであって、
前記被覆部は、シート状に構成され、かつ前記内トレイを該被覆部の上面に置いた状態で、該内トレイを四方からそれぞれ覆うように折曲させる４つの折曲片を備えており、
前記折曲片の少なくとも一の端縁部を折り返して、押圧部を形成してなることを特徴とする商品収納ケース。
【請求項３】
請求項２に記載の商品収納ケースであって、
前記押圧部は、前記折曲片の内、対向する折曲片にそれぞれ形成されてなることを特徴とする商品収納ケース。
【請求項４】
請求項２又は３に記載の商品収納ケースであって、
前記押圧部は、商品の長さの少なくとも１／４以上を押圧するよう構成されてなることを特徴とする商品収納ケース。
【請求項５】
請求項２から４のいずれか一に記載の商品収納ケースであって、
前記被覆部で内トレイを被覆する際、前記押圧部を設けた折曲片を折曲した状態で、前記折曲片の押圧部が、商品の中央近傍に位置するよう構成されてなることを特徴とする商品収納ケース。
【請求項６】
請求項２から５のいずれか一に記載の商品収納ケースであって、
前記内トレイは、商品配置空間を区画する区画壁を形成しており、
前記区画壁は、略鉛直姿勢に設けられ、
さらに、前記区画壁は、部分的に端縁を凹状に窪ませた成形凹部を形成しており、
前記成形凹部の長さは、前記押圧部の幅と等しく、あるいはこれよりも長く、前記被覆部で前記内トレイを被覆した状態で、前記押圧部が前記区画壁と当接する領域が、前記成形凹部となるよう設定されてなることを特徴とする商品収納ケース。
【請求項７】
請求項２から６のいずれか一に記載の商品収納ケースであって、
前記折曲片の内、前記押圧部を設けていない折曲片同士の組に、これら折曲片同士を連結する連結機構を形成してなることを特徴とする商品収納ケース。
【請求項８】
請求項１から７のいずれか一に記載の商品収納ケースであって、
前記内トレイが、一方向に延長された形状の商品を複数、互いに略平行に配置して収納するようにしており、
前記押圧部が、該内トレイに複数行に配列される複数の商品の配列方向に沿って延長されると共に、各商品の長手方向の中央領域を押圧するように配置されてなる商品収納ケース。
【請求項９】
請求項１から８のいずれか一に記載の商品収納ケースであって、
前記押圧部は、さらに、前記内トレイを被覆する状態で、商品の形状に応じた凹凸面を形成してなることを特徴とする商品収納ケース。
【請求項１０】
請求項１から９のいずれか一に記載の商品収納ケースであって、
前記内トレイが、前記複数の商品配置空間を２列に設けて、複数の商品を２列に配列しており、
前記被覆部が、対向する折曲片に設けた押圧部で各列に配列された複数の商品を押圧するようにしてなることを特徴とする商品収納ケース。
【請求項１１】
包装された複数の商品を収納する商品収納ケースであって、
上方に開口され、商品を配置するための商品配置空間を複数区画した内トレイと、
前記内トレイの周囲を覆う被覆部と
を備え、
前記内トレイは、各商品配置空間において、商品を置くための傾斜面をそれぞれ形成しており、各傾斜面の傾斜角度は、鉛直面に対して２０度〜８０度の範囲に傾斜されており、
さらに、前記内トレイは、上面の外周縁に沿って下方開口の外周溝を形成しており、
前記被覆部は、前記内トレイが内側に収納される上方開口の下ケースと、前記下ケースの上面を被覆する下方開口の蓋ケースとからなり、
前記下ケースは、底プレートの外周縁に側壁を連結してなる箱形としており、
前記下ケースに前記内トレイを収納する状態で、前記側壁の上端部が前記外周溝に案内されると共に、前記下ケースの上面を前記蓋ケースで被覆する状態で、前記外周溝において、前記下ケースの側壁と前記蓋ケースが、前記内トレイの外周縁部を挟着して保持してなることを特徴とする商品収納ケース。
【請求項１２】
請求項１１に記載される商品収納ケースであって、
前記内トレイが、上面の外周縁に沿って所定の幅を有する枠形状の外枠部を備えると共に、前記外枠部の外周縁から下方に伸びるスカート部を連設しており、前記外枠部と前記スカート部とで下方開口の外周溝を形成してなることを特徴とする収納ケース。
【請求項１３】
請求項１１または１２に記載される商品収納ケースであって、
前記下ケースの側壁が、内側に向かって傾斜してなることを特徴とする商品収納ケース。
【請求項１４】
請求項１から１３のいずれか一に記載の商品収納ケースであって、
前記内トレイが、前記複数の商品配置空間を区画する区画壁を形成しており、
前記区画壁は、部分的に上端縁を凹状に窪ませた成形凹部を形成しており、
前記成形凹部が円弧状に湾曲された湾曲凹部であることを特徴とする商品収納ケース。
【請求項１５】
請求項１から１４のいずれか一に記載の商品収納ケースであって、
前記商品配置空間に複数行の傾斜面を設けて、該商品配置空間に複数の商品を配置するようにしてなる商品収納ケース。
【請求項１６】
請求項１から１５のいずれか一に記載の商品収納ケースであって、
前記傾斜面が、前記商品配置空間に配置される商品の両端部を支持する第一傾斜面と、この商品の中央領域を支持する第二傾斜面とを備え、前記第二傾斜面の傾斜角度を前記第一傾斜面の傾斜角度よりも大きくしてなることを特徴とする商品収納ケース。
【請求項１７】
請求項１から１６のいずれか一に記載の商品収納ケースであって、
前記被覆部は、紙製のシートで構成されてなることを特徴とする商品収納ケース。
【請求項１８】
請求項１から１７のいずれか一に記載の商品収納ケースであって、
前記内トレイは、樹脂材料が５０％未満で、滑石または紙を５０％よりも多く含有させてなることを特徴とする商品収納ケース。
【請求項１９】
請求項１から１８のいずれか一に記載の商品収納ケースであって、
前記内トレイは、外周面の一部に破断切欠を形成してなることを特徴とする商品収納ケース。
【発明の詳細な説明】
【技術分野】
【０００１】
本発明は、複数の商品を収納可能なケースに関し、例えば、ギフト商品の展示、搬送に適した商品収納ケースに関する。
【背景技術】
【０００２】
従来より、複数の商品を収納する箱が提供されている。例えば、ギフト用の商品に関しては、展示する際に商品が見易いような構造が求められ、一方で、運送時においては箱の内部で商品がずれないようにする構造が求められる。
【０００３】
このような商品収納箱の一例を図３２に示す。この図に示す商品収納箱は、上箱９２と下箱９１に二分割され、下箱９１には袋状の商品、ここではコーヒー顆粒を詰めた棒状のスティックコーヒー９３を複数、二列に並べて配置している。各スティックコーヒー９３は、展示した際に見栄えが良くなるように、平置きに近い状態に傾けている。この状態ではスティックコーヒー９３が安定しないので、各スティックコーヒー９３の両端部を保持する構造を設けている。具体的には、下箱９１は、図３２に示すように、保持シート９４を２つ並べて配置している。各保持シート９４は、スティックコーヒー９３の長さに対応させた横幅とし、両側部が迫り上がるように山形に折り曲げると共に、各スティックコーヒー９３の端部を挿入できる切り込み９５を形成している。各保持シート９４の切り込み９５は、下箱９１の底面に対して傾斜する方向にカットされており、傾斜姿勢の切り込み９５内にスティックコーヒー９３の端部を挿入することで、互いに平行に並べられるスティックコーヒー９３の表示面を傾斜姿勢で保持できるようにしている。この構造によって、複数のスティックコーヒー９３は、それぞれ両端部を保持シート９４の切り込み９５に挿入して、所定の角度で見栄えよく保持されると共に、輸送時においても確実に保持されて、箱の内部で複数のスティックコーヒー９３が偏ったり位置ずれするという事態を回避できる。
【０００４】
しかしながら、この構造の商品収納箱は、構造が複雑で部品点数が増えるという問題がある。例えば下箱９１には、枠体９６と、内部に収納する２枚の保持シート９４の、計３点の部材が必要となる。また上箱９２も、内側に内シート９７を折り込んでいるため、計２点の部材で構成され、箱全体で５点の部材を要し、コスト高となる上、廃棄コストもかかり、さらに組み立てに手間がかかる。加えて、組み立てられた商品収納箱に、商品をセットする作業も、一々各商品の端部を保持シート９４の切り込み９５に差し込まねばならず、非常に煩雑で手間がかかるという問題があった。
【先行技術文献】
【特許文献】
【０００５】
【特許文献１】特開２００９−１０７６８６号公報
【発明の概要】
【発明が解決しようとする課題】
【０００６】
本発明は、従来のこのような問題点に鑑みてなされたものである。本発明の主な目的は、複数の商品を見栄えよく収納しながら、搬送時においても位置ずれしないように安定して保持可能な商品収納ケースを提供することにある。
さらに、本発明は、簡単な構造として部材数を少なくして組み立て作業を簡素化しながら、複数の商品を短時間で効率よくセットして作業効率を向上できる商品収納ケースを提供することにある。
【課題を解決するための手段及び発明の効果】
【０００７】
以上の目的を達成するため、本発明の商品収納ケースは、包装された複数の商品３を収納する商品収納ケースであって、上方に開口され、商品３を配置するための商品配置空間１１を複数区画した内トレイ１、５１と、前記内トレイ１、５１の周囲を覆う被覆部２、４２とを備え、前記内トレイ１、５１は、各商品配置空間１１において、商品３を置くための傾斜面１４、５４をそれぞれ形成しており、各傾斜面１４、５４の傾斜角度は、鉛直面に対して２０度〜８０度の範囲に傾斜されており、前記被覆部２、４２は、前記内トレイ１、５１の周囲を覆う際に、内トレイ１、５１の商品配置空間１１に収納された状態の各商品３の表面に接触して押圧する押圧部２５、４５を設けており、これにより各商品３は内トレイ１、５１の傾斜面１４、５４と被覆部２、４２の押圧部２５、４５とで狭持されて保持されてなることを特徴とする。
上記構成により、商品を傾斜姿勢で内トレイに収納して、見栄えを良くする一方、運搬時においては、被覆部で内トレイの周囲を覆うと共に、各商品の表面を押圧部で直接押圧することでこれを保持し、移送の際の衝撃等で商品がずれる事態を回避ないし抑制できる。
【０００８】
さらに、本発明の商品収納ケースは、複数の商品を収納するのにかかる時間を短縮して、作業効率を向上できる特徴もある。それは、この商品収納ケースが、上方開口の内トレイに複数の商品を収納し、商品が収納された内トレイの周囲を被覆部で覆っているからである。この商品収納ケースは、内トレイと被覆部の２つのパーツで商品収納ケースを構成するので、部品点数を少なくして商品収納ケースの組み立てにかかる時間を短縮し、トータルの作業時間を短縮できる。また、この商品収納ケースは、上方開口の内トレイに設けた商品配置空間に商品を投入することで複数の商品を定位置に配置できるので、図３２に示す従来の商品収納箱に比較して、複数の商品を収納するのにかかる時間を大幅に短縮できる。ちなみに、図３２に示す従来の商品収納箱では、スティックタイプの商品を下箱に１８本セットするのに約８０秒かかり、商品収納箱の組み立ても含めたセットアップのトータル時間として約２３０秒かかったのに対し、本発明の商品収納ケースでは、同数の商品を内トレイにセットするのに約３０秒、商品収納ケースの組み立ても含めたセットアップのトータル時間では約６０秒と、その作業時間を１／３よりも短くして大幅に短縮することができた。このことは、商品収納ケースに商品を収納する作業効率を３倍以上に向上できることを意味している。
【０００９】
本発明の商品収納ケースは、前記被覆部２、４２をシート状に構成すると共に、前記内トレイ１を該被覆部２、４２の上面に置いた状態で、該内トレイ１を四方からそれぞれ覆うように折曲させる４つの折曲片２１を該被覆部２、４２が備えており、前記折曲片２１の少なくとも一の端縁部を折り返して、前記押圧部２５、４５を形成することができる。
上記構成により、被覆部の折曲片の端縁部を折り返した際に、折り返された端縁部が元の形状に戻ろうとする復元力ないし反発力でもって商品の表面を押圧でき、極めて簡単に押圧部を構成できる。
【００１０】
本発明の商品収納ケースは、前記押圧部２５、４５を、前記折曲片２１の内、対向する折曲片２１にそれぞれ形成することができる。
上記構成により、内トレイに収納される複数の商品を、対向する折曲片の押圧部で両側から押圧して確実に保持できる利点が得られる。
【００１１】
本発明の商品収納ケースは、前記押圧部２５、４５が、商品３の長さ（Ｌ）の少なくとも１／４以上を押圧するよう構成することができる。
上記構成により、商品を広い面積で押圧して、確実に保持することができる。
【００１２】
本発明の商品収納ケースは、前記被覆部２、４２で内トレイ１を被覆する際、前記押圧部２５、４５を設けた折曲片２１を折曲した状態で、前記折曲片２１の押圧部２５、４５が、商品３の中央近傍に位置するよう構成することができる。
上記構成により、商品の中央近傍を、折曲片に設けた押圧部で押圧できるので、バランスよく商品を押圧して保持できる。
【００１３】
本発明の商品収納ケースは、前記内トレイ１が、商品配置空間１１を区画する区画壁１３を備えており、前記区画壁１３は、略鉛直姿勢に設けられ、さらに、前記区画壁１３は、部分的に端縁を凹状に窪ませた成形凹部１３Ｘを形成しており、前記成形凹部１３Ｘの長さ（Ｈ）は、前記押圧部２５、４５の幅（ｄ２）と等しく、あるいはこれよりも長く、前記被覆部２、４２で前記内トレイ１を被覆した状態で、前記押圧部２５、４５が前記区画壁１３と当接する領域を成形凹部１３Ｘとなるように設定することができる。
上記構成により、被覆部でもって内トレイを被覆する際、押圧部が区画壁に当接して、商品に対する押圧力が損なわれる事態を回避し、確実に商品の保持が図られると共に、区画壁の形状に凹状を設けたことで内トレイの強度を補強でき、商品を収納した状態でも内トレイの変形を阻止ないし抑制できる。
【００１４】
本発明の商品収納ケースは、前記折曲片２１の内、前記押圧部２５、４５を設けていない折曲片２１同士の組に、これら折曲片２１同士を連結する連結機構３０を形成することができる。
上記構成により、押圧部を設けた折曲片で、商品を押圧して保持しつつ、他の折曲片は被覆部の内トレイを覆った状態に維持する機能を付加して連結できる。この被覆部は、折曲片を利用して、内トレイの商品を定位置に保持しながら、内トレイの周囲を被覆する状態に保持できる。
【００１５】
本発明の商品収納ケースは、前記内トレイ１が、一方向に延長された形状の商品３を複数、互いに略平行に配置して収納するようにし、前記押圧部２５、４５が、該内トレイ１に複数行に配列される複数の商品３の配列方向に沿って延長されると共に、各商品３の長手方向の中央領域を押圧するように配置することができる。
上記構成により、内トレイに複数の商品を互いに平行に配列しながら、配列方向に延長された押圧部で、これ等の商品の中央領域を押圧して複数の商品を安定して定位置に保持できる。
【００１６】
本発明の商品収納ケースは、前記押圧部２５、４５が、さらに、前記内トレイ１を被覆する状態で、商品３の形状に応じた凹凸面を形成することができる。
上記構成により、押圧部で商品を押圧する際に、さらに確実に商品の形状に応じた保持力を発揮させることができる。
【００１７】
本発明の商品収納ケースは、前記内トレイ１が、前記複数の商品配置空間１１を２列に設けて、複数の商品３を２列に配列し、前記被覆部２、４２が、対向する折曲片２１に設けた押圧部２５、４５で各列に配列された複数の商品３を押圧することができる。
上記構成により、多数の商品を、内トレイに効率よく収納しながら、被覆部の対向する折曲片に設けた押圧部で
ようにしてなることを特徴とする商品収納ケース。
【００１８】
さらに、本発明の他の商品収納ケースは、包装された複数の商品３を収納する商品収納ケースであって、上方に開口され、商品３を配置するための商品配置空間１１を複数区画した内トレイ１、５１と、前記内トレイ１、５１の周囲を覆う被覆部６２とを備え、前記内トレイ１、５１は、各商品配置空間１１において、商品３を置くための傾斜面１４、５４をそれぞれ形成しており、各傾斜面１４、５４の傾斜角度は、鉛直面に対して２０度〜８０度の範囲に傾斜されており、さらに、前記内トレイ１、５１は、上面の外周縁に沿って下方開口の外周溝５８を形成しており、前記被覆部６２は、前記内トレイ１、５１が内側に収納される上方開口の下ケース６３と、前記下ケース６３の上面を被覆する下方開口の蓋ケース６４とからなり、前記下ケース６３は、底プレート６３Ａの外周縁に側壁６３Ｂを連結してなる箱形としており、前記下ケース６３に前記内トレイ１、５１を収納する状態で、前記側壁６３Ｂの上端部が前記外周溝５８に案内されると共に、前記下ケース６３の上面を前記蓋ケース６４で被覆する状態で、前記外周溝５８において、前記下ケース６３の側壁６３Ｂと前記蓋ケース６４の内面とで、前記内トレイ１、５１の外周縁部を挟着して保持してなることを特徴とする。
上記構成により、商品を傾斜姿勢で内トレイに収納して、見栄えを良くする一方、内トレイの外周縁に沿って設けた外周溝に下ケースの周壁を挿入することで、内トレイと下ケースとを一体的に連結して美しい外観にできる。また、内トレイの外周縁に沿って設けた外周溝に下ケースの周壁を挿入することで、内トレイを下ケースに対して位置決めし、さらに、下ケースと蓋ケースで内トレイの外周縁部を挟着することで、被覆部に対する内トレイの相対的な位置ずれを抑制して、内トレイに収納された商品が移送の際に位置ずれするのを有効に防止できる。
【００１９】
さらに、この商品収納ケースは、複数の商品を収納するのにかかる時間を短縮して、作業効率を向上できる特徴もある。それは、この商品収納ケースが、上方開口の内トレイに複数の商品を収納し、商品が収納された内トレイを下ケースに収納し、内トレイが収納された下ケースの上面を蓋ケースで被覆するからである。この商品収納ケースは、内トレイと下ケースと蓋ケースの３つのパーツで商品収納ケースを構成するので、部品点数を少なくして商品収納ケースの組み立てにかかる時間を短縮し、トータルの作業時間を短縮できる。また、この商品収納ケースは、上方開口の内トレイに設けた商品配置空間に商品を投入することで複数の商品を定位置に配置できるので、従来の商品収納箱に比較して、複数の商品を収納するのにかかる時間を大幅に短縮できる。
【００２０】
本発明の商品収納ケースは、前記内トレイ１、５１が、上面の外周縁に沿って所定の幅を有する枠形状の外枠部１７を備えると共に、前記外枠部１７の外周縁から下方に伸びるスカート部１８を連設して、前記外枠部１７と前記スカート部１８とで下方開口の外周溝５８を形成することができる。
上記構成によると、内トレイの外周縁に沿って設けた外枠部とスカート部で下方開口の外周溝を構成することで、内トレイの外周縁の全周にわたって外周溝を設けることできる。この構造は、下ケースの側壁の上端縁を全周にわたって外枠部とスカート部でカバーすることができ、これにより、下ケースと内トレイとを外周部全体で一体的に連結して、外観を美しくできると共に、下ケースに対する内トレイの位置ずれをより確実に抑制できる。
【００２１】
本発明の商品収納ケースは、前記下ケース６３の側壁６３Ｂを、内側に向かって傾斜させることができる。
上記構成によると、側壁を内側に向かって傾斜させることで、下ケースの上方開口部を絞る形状として、側壁の上端縁を内トレイの外周溝に案内しやすくできる。また、下ケースの上端面の外形を下端面の外形よりも小さくできるので、下ケースに内トレイをセットする状態で、内トレイの外周縁を下ケースの外周縁から外側に大きくはみ出させることなく、すっきりとした美しい外観にできる。また、内トレイがセットされた下ケースの上面を蓋ケースで被覆する状態においては、蓋ケースの外周壁の内面を下ケースの側壁に接近させてこの部分を隙間なく被覆できる。
【００２２】
本発明の商品収納ケースは、前記内トレイ５１が、前記複数の商品配置空間１１を区画する区画壁５３を形成すると共に、前記区画壁５３が、部分的に上端縁を凹状に窪ませた成形凹部５３Ｘを形成して、前記成形凹部５３Ｘを円弧状に湾曲された湾曲凹部とすることができる。
上記構成により、内トレイに設ける区画壁に設ける成形凹部を湾曲凹部とすることで、区画壁を補強して強靱にできる。また、成形凹部を湾曲凹部とすることで意匠的にも美しい外観にできる。
【００２３】
本発明の商品収納ケースは、前記商品配置空間１１に複数行の傾斜面１４、５４を設けて、該商品配置空間１１に複数の商品３を配置することができる。
上記構成により、多数の商品を省スペースに効率よく収納できる。また、一の商品配置空間に同種類の商品を複数配置しながら、他の商品配置空間には異なる種類の商品を複数配置することで、美しい展示が実現できる。とくに、区画壁を境目として多数の商品を種類別に分けながら収納できる。
【００２４】
本発明の商品収納ケースは、前記傾斜面１４を、前記商品配置空間１１に配置される商品３の両端部を支持する第一傾斜面１４Ａと、この商品３の中央領域を支持する第二傾斜面１４Ｂとで構成し、前記第二傾斜面１４Ｂの傾斜角度（α）を前記第一傾斜面１４Ａの傾斜角度（α）よりも大きくすることができる。
上記構成により、傾斜角度の小さな第一傾斜面で商品の両端部を中央領域よりも起立姿勢に保持しながら、傾斜角度の大きな第二傾斜面で商品の中央領域を両端部よりも水平姿勢に保持できる。このため、両端部よりも中央領域の方が膨れやすい商品であっても、安定して定位置に配置できる。また、中央領域を水平に近似する姿勢で保持することで、中央領域の表示を見やすく展示できる。
また、押圧部を商品の中央領域に配置する構造にあっては、中央領域を水平に近似させることで、この部分をより広い面積で押圧部に当接させて安定して保持できる。
【００２５】
本発明の商品収納ケースは、前記被覆部２、４２、６２を、紙製のシートで構成することができる。
上記構成により、安価に被覆部を構成でき、また、使用後には、簡単に廃棄できる特徴がある。また、被覆部に凹圧部を設ける構造においては、紙の特性である、折曲に対する反発力を利用した押圧部を容易に形成できる利点が得られる。
【００２６】
本発明の商品収納ケースは、前記内トレイ１、５１が、樹脂材料を５０％未満とし、滑石または紙を５０％よりも多く含有することができる。
上記構成により、内トレイを非プラスチック材料として廃棄コストを削減できる。とくに、滑石を含有する内トレイは、廃棄の際には、プラスチック材料に比べて破断し易くできる。また、紙を５０％よりも多く含有する内トレイは、紙材料として廃棄できる。
【００２７】
本発明の商品収納ケースは、前記内トレイ１、５１が、外周面の一部に破断切欠１９を形成することができる。
上記構成により、破断切欠を起点にして内トレイの破断を行い易くでき、内トレイの廃棄時の作業性を高めることができる。
【図面の簡単な説明】
【００２８】
【図１】本発明の一実施の形態にかかる商品収納ケースの斜視図である。
【図２】図１に示す商品収納ケースのＩＩ−ＩＩ線断面図である。
【図３】図１に示す商品収納ケースの分解斜視図である。
【図４】図３に示す商品収納ケースの内トレイの斜視図である。
【図５】図４に示す内トレイの平面図である。
【図６】図５に示す内トレイのＶＩ−ＶＩ線断面図である。
【図７】図５に示す内トレイのＶＩＩ−ＶＩＩ線端面図である。
【図８】図５に示す内トレイのＶＩＩＩ−ＶＩＩＩ線端面図である。
【図９】図４に示す内トレイに複数の商品を収納する状態を示す分解斜視図である。
【図１０】図３に示す商品収納ケースの被覆部の展開図である。
【図１１】商品が収納された内トレイを被覆部で被覆する工程を示す斜視図である。
【図１２】商品が収納された内トレイを被覆部で被覆する工程を示す斜視図である。
【図１３】商品が収納された内トレイを被覆部で被覆する工程を示す斜視図である。
【図１４】商品が収納された内トレイを被覆部で被覆する工程を示す斜視図である。
【図１５】他の構造の押圧部を有する被覆部の一例を示す斜視図である。
【図１６】図１５に示す被覆部で商品が収納された内トレイを被覆する工程を示す斜視図である。
【図１７】図１６に示す押圧部が内トレイに収納された商品を押圧する状態を示す断面図である。
【図１８】連結機構の他の一例を示す斜視図である。
【図１９】図１８に示す連結機構で折曲片を連結する工程を示す斜視図である。
【図２０】本発明の他の実施例にかかる商品収納ケースの断面図である。
【図２１】本発明の他の実施例にかかる商品収納ケースの断面図である。
【図２２】本発明の他の実施の形態にかかる商品収納ケースの一部拡大垂直横断面図である。
【図２３】図２２に示す商品収納ケースの分解斜視図である。
【図２４】図２３に示す商品収納ケースの内トレイの斜視図である。
【図２５】図２４に示す内トレイの平面図である。
【図２６】図２５に示す内トレイのＸＸＶＩ−ＸＸＶＩ線断面図である。
【図２７】図２５に示す内トレイのＸＸＶＩＩ−ＸＸＶＩＩ線端面図である。
【図２８】図２５に示す内トレイのＸＸＶＩＩＩ−ＸＸＶＩＩＩ線端面図である。
【図２９】図２３に示す下ケースの展開図である。
【図３０】下ケースの他の一例を示す展開図である。
【図３１】図３０に示す下ケースの組み立て工程を示す斜視図である。
【図３２】従来の商品収納箱を示す分解斜視図である。
【発明を実施するための形態】
【００２９】
以下、本発明の実施の形態を図面に基づいて説明する。ただし、以下に示す実施の形態は、本発明の技術思想を具体化するための商品収納ケースを例示するものであって、本発明は商品収納ケースを以下のものに特定しない。さらに、本明細書においては、特許請求の範囲を理解しやすいように、実施例に示される部材に対応する番号を、「特許請求の範囲」および「課題を解決するための手段」の欄に示される部材に付記している。ただ、特許請求の範囲に示される部材を、実施の形態の部材に特定するものでは決してない。特に実施の形態に記載されている構成部材の寸法、材質、形状、その相対的配置等は、特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示し１ており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００３０】
本発明の一実施の形態に係る商品収納ケース１００を図１ないし図１３に示す。図１は商品収納ケースの斜視図を、図２は図１に示す商品収納ケースの断面図を、図３は図１に示す商品収納ケースの分解斜視図を、図４ないし図８は図３に示す商品収納ケースの内トレイの斜視図、平面図、及び断面図を、図９は図４に示す内トレイに複数の商品を収納する状態を示す分解斜視図を、図１０は図３に示す商品収納ケースの被覆部の展開図を、図１１ないし図１４は商品が収納された内トレイを被覆部で被覆する工程を示す斜視図をそれぞれ示している。
【００３１】
本発明の商品収納ケースは、包装された複数の商品を収納する収納ケースであって、複数の商品を所定の配列で収納して見やすく展示できるようにすると共に、収納された商品を定位置に保持して、配列を乱すことなく安定して搬送できるようにする。本発明の商品収納ケースは、一方向に延長された細長いスティック状または板状の商品を複数、互いに略平行に配置して収納する用途に適している。さらに、本発明の商品収納ケースは、複数行に配列される商品の表面に表示された内容を見やすいように、複数の商品を傾斜姿勢で配列する用途に適している。
【００３２】
商品収納ケースに収納される商品には、密封された包装体の内部に、粒状ないし液状の充填物を収納したものが使用できる。図９に示す商品３は、可撓性を有するシート材を細長い筒状にシールした後、両端が平面状にシールされる構造の包装体に、粒状ないし液状の充填物を収納している。ここで、粒状ないし液状の充填物とは、粒状、粉末状、ジェル状、液状等の種々の状態の充填物、あるいは、これ等の状態が混在してなる状態の充填物とすることができる。密封される包装体に収納される粉末ないし粒状の充填物として、例えば、コーヒーミックス、紅茶ミックス、スープ、ふりかけ、サプリメント、入浴剤等とすることができ、また、液状ないしジェル状の充填物として、各種ソース類、レトルト食品、入浴剤等とすることができる。ただ、商品は、必ずしも充填物を粒状ないし液状とする必要はなく、包装体の内部に固形の物品を収納したものとすることもできる。このような商品として、例えば、細長い板状の菓子類（チョコレート、クッキー、せんべい等）を密封された包装体に収納したものがあげられる。また、商品は、必ずしも密封された包装体で包装する必要はなく、固形の物品をシート材で包装してなる構造のもの、例えば、細長い板状の菓子類（チョコレート、和菓子、ガム等）を包装紙で包装したものとすることもできる。
【００３３】
図１ないし図９に示す商品収納ケース１００は、上方が開口されて、商品３を配置するための商品配置空間１１を複数区画した内トレイ１と、この内トレイ１の周囲を覆う被覆部２とを備えている。
【００３４】
（内トレイ１）
内トレイ１は、全体の外形を長方形とする上方開口の箱形であって、商品３を収納できる深さに成形している。箱形の内トレイ１は、内部を複数の商品配置空間１１に区画している。図３ないし図９の内トレイ１は、中央部に境界壁１２を設けて左右に２列の収納ブロック１０に区画すると共に、各収納ブロック１０には前後に離して３条の区画壁１３を設けて、前後に４つの商品配置空間１１に区画している。すなわち、図に示す内トレイ１は、左右前後に２×４個の商品配置空間１１を設けている。
なお、本明細書において、前後左右の方向は、図において決定するものとする。図に示す内トレイ１は、左右方向を、収納される商品３の長さ方向とし、前後方向を、複数の商品３を略平行に配置する配列方向としている。
【００３５】
さらに、内トレイ１は、各商品配置空間１１において、商品３を傾斜姿勢で配置するために、各商品配置空間１１の底面に傾斜面１４を設けている。商品配置空間１１の底面に形成される傾斜面１４は、図において手前から後方に向かって上り勾配に形成されており、鉛直面に対して２０度〜８０度の範囲の傾斜角度（α）となるように傾斜されている。図４ないし図８の内トレイ１は、底面を凹凸形状に成形して傾斜面１４を設けている。図の内トレイ１は、上方に向かって山形に突出する凸条１５を底面に設けており、これらの山形の凸条１５の前方側である片側面を所定の角度に傾斜させて傾斜面１４としている。このように、内トレイ１の底面に、凸条１５を設ける構造は、この凸条１５を補強リブに兼用して内トレイ１を補強できる特徴がある。以上のように、底面に傾斜面１４を設けて商品３を傾斜姿勢で収納する内トレイ１は、全体を浅く成形して複数の商品３を見易く展示できる。
【００３６】
さらに、内トレイ１は、商品配置空間１１に複数の傾斜面１４を設けて、各商品配置空間１１に複数の商品３を収納できるようにしている。図の内トレイ１は、商品配置空間１１に複数列の凸条１５を設けており、これ等の凸条１５により商品配置空間１１に複数行の傾斜面１４を設けている。この内トレイ１は、多数の商品３を省スペースに効率よく収納できると共に、商品配置空間１１ごとに配置する商品３の種類や色を変更することで、美しい展示が実現できる。
【００３７】
図４ないし図９に示す内トレイ１は、前後方向に４個の商品配置空間１１を設けており、図において最も前方に位置する商品配置空間１１には、３個の商品３を配置できるように、複数列の凸条１５を設けて３行の傾斜面１４を設けている。また、後方に位置する３つの商品配置空間１１には、それぞれ２個の商品３を配置できるように、複数列の凸条１５を設けて２行の傾斜面１４を設けている。すなわち、図に示す内トレイ１は、４個の商品配置空間１１を備える各収納ブロック１０に９個の商品３を配列すると共に、収納ブロック１０を２列に配置して、全体では１８個の商品３を収納する構造としている。ただ、内トレイは、収納する商品の個数や配列を以上の構成には特定せず、用途や必要に応じて種々に変更することができる。例えば、内トレイは、各商品配置空間に１〜５個の商品を収納することができる。
【００３８】
さらに、図４ないし図９に示す内トレイ１は、商品配置空間１１に配置される商品３を傾斜姿勢で支持する傾斜面１４を、商品３の両端部を支持する第一傾斜面１４Ａと、商品３の中央領域を支持する第二傾斜面１４Ｂとで構成している。図に示す内トレイ１は、各商品配置空間１１の底面の左右の両端部であって、ここに配置される商品３の両端部と対向する位置に第一凸条１５Ａを設けており、これ等の第一凸条１５Ａの片側面を第一傾斜面１４Ａとしている。また、内トレイ１は、各商品配置空間１１の底面の中央部であって、ここに配置される商品３の中央領域と対向する位置に第二凸条１５Ｂを設けており、この第二凸条１５Ｂの片側面を第二傾斜面１４Ｂとしている。
【００３９】
商品配置空間１１の底面に形成される傾斜面１４を、両端部に設けた第一傾斜面１４Ａと、中央部に設けた第二傾斜面１４Ｂとで構成する内トレイ１は、図７と図８に示すように、第二傾斜面１４Ｂの傾斜角度（α）を第一傾斜面１４Ａの傾斜角度（α）よりも大きくしている。第一傾斜面１４Ａの傾斜角度（α）は、２０度〜６０度、好ましくは２５度〜４５度であって、図７及び図８においては約３０度として、第二傾斜面１４Ｂの傾斜角度よりも小さくしている。また、第二傾斜面１４Ｂの傾斜角度（α）は、３０度〜８０度、好ましくは４５度〜６０度であって、図７及び図８においては約５５度として、第一傾斜面１４Ａの傾斜角度よりも大きくしている。このように、第二傾斜面１４Ｂの傾斜角度（α）を第一傾斜面１４Ａの傾斜角度（α）よりも大きくする構造は、商品３の両端部を中央領域よりも起立姿勢として、商品３を位置ずれしないように安定して保持できると共に、商品３の中央領域を両端部よりも水平姿勢に保持できる構造として、中央領域が両端部よりも膨らむ構造の商品、例えば、包装体の内部に粒状ないし液状の充填物を収納してなる商品を理想的に収納できる。それは、両端が閉塞される包装体に収納される粒状ないし液状の充填物は、両端部よりも中央領域に偏在しやすく、この状態では中央領域の方が両端部よりも膨らむ形状となって、商品配置空間１１に商品をセットする状態では、膨らんだ中央領域を第二傾斜面１４Ｂで支持できるからである。
【００４０】
商品配置空間１１の底面に形成される第一凸条１５Ａと第二凸条１５Ｂは、前後方向である商品３の配列方向において、所定の間隔で形成されており、傾斜面１４に沿って配置される商品３を、所定の姿勢で保持できるようにしている。ここで、図４ないし図８に示す内トレイ１は、第一凸条１５Ａの高さ（ｈ１）を商品配置空間１１の深さ（Ｄ）の約１／２として、ここに配置される商品３の両端部を確実に保持できるようにしている。ただ、第一凸条の高さ（ｈ１）は、商品配置空間の深さ（Ｄ）の１／３〜４／５とすることもできる。さらに、図の内トレイ１は、商品３の配列方向に形成される複数の第二凸条１５Ｂのうち、区画壁１３の前方に形成される第二凸条１５Ｂａについては、第二傾斜面１４Ｂの上端縁を区画壁１３に連結させており、第二凸条１５Ｂａの高さ（ｈ２）を商品配置空間１１の深さ（Ｄ）の約１／２としている。この構造は、区画壁１３に一体成形される第二凸条１５Ｂでもって、区画壁１３を補強できる特徴がある。また、各商品配置空間１１において、区画壁１３に連結される第二凸条１５Ｂａより前方に形成される第二凸条１５Ｂｂについては、その高さ（ｈ３）を商品配置空間１１の深さ（Ｄ）の約１／３としている。ただ、第二凸条の高さ（ｈ２；ｈ３）は、商品配置空間の深さ（Ｄ）の１／４〜２／３とすることもできる。
【００４１】
さらに、商品配置空間１１の底面に形成される凸条１５は、左右方向である商品の長さ方向において、第一凸条１５Ａと第二凸条１５Ｂの境界部分に隙間を設けており、左右に位置する第一凸条１５Ａと第二凸条１５Ｂとをそれぞれ分離して設けている。図５の内トレイ１は、第一凸条１５Ａで形成される第一傾斜面１４Ａの横幅（Ｗ１）を、商品配置空間１１全体の横幅（Ｗ）の約１／４の長さとしている。ただ、第一傾斜面の横幅は、商品配置空間全体の横幅の１／８〜１／３の長さとすることもできる。また、図５の内トレイ１は、第二凸条１５Ｂで形成される第二傾斜面１４Ｂの横幅（Ｗ２）を、商品配置空間１１全体の横幅（Ｗ）の約１／３の長さとしている。ただ、第二傾斜面の横幅は、商品配置空間全体の横幅の１／５〜２／３の長さとすることもできる。すなわち、第一凸条と第二凸条は、互いの境界部分に隙間が形成される範囲において、第一傾斜面の横幅と第二傾斜面の横幅を種々に変更できる。このように、内トレイ１の底面に設ける凸条１５を第一凸条１５Ａと第二凸条１５Ｂに分割する構造は、さらに内トレイ１を補強できる特徴がある。
【００４２】
ただ、傾斜面は、必ずしも第二傾斜面の傾斜角度を第一傾斜面の傾斜角度よりも大きくする必要はなく、第一傾斜面と第二傾斜面の傾斜角度を等しくすることもできる。さらに、傾斜面は、必ずしも第一傾斜面と第二傾斜面とに分割する必要はなく、一つ傾斜面で構成することもできる。このように、第一傾斜面と第二傾斜面の傾斜角度を等しくし、あるいは一つの面で形成される傾斜面は、全体が均一な厚さの商品、例えば、平面状の商品を配置するのに適している。
【００４３】
内トレイ１は、樹脂を含有する材料の成形体で、一体成形して所定の形状に成形されている。樹脂含有材料で一体成形される内トレイ１は、樹脂含有材料をシート状に加工すると共に、１枚のシート材を所定の形状の金型の凹凸面に沿って吸引する成形によって所定の凹凸形状に成形される。内トレイ１は、樹脂材料のみで成形することもできるが、好ましくは、樹脂材料を５０％未満とし、滑石を５０％よりも多く含有してなる樹脂含有材料で成形される。この内トレイ１は、例えば、樹脂材料としてポリプロピレンを４０％、滑石を６０％の割合で混合してなる樹脂含有材料を成形して製造される。これにより、内トレイ１を非プラスチック材料として廃棄コストを削減できる。また、滑石を含有することで、プラスチック材料に比べて破断し易くでき、内トレイ１を廃棄する際には、シート材を小さく分割して廃棄できる。さらに、内トレイは、樹脂材料を５０％未満とし、紙を５０％よりも多く含有してなる樹脂含有材料で成形することもできる。この内トレイは、紙材料としての表記が可能になり、紙材料として廃棄コストを削減できる。
【００４４】
内トレイ１は、内部を複数の商品配置空間１１に区画する凹凸形状に一体成形されている。１枚のシート材で形成される内トレイ１は、複数の商品配置空間１１を、それぞれ複数の分割トレイ１６で構成している。図４ないし図９の内トレイ１は、２×４個の商品配置空間１１を備えているので、２×４個の分割トレイ１６を成形すると共に、これ等の分割トレイ１６を連結する形状に一体成形して８個の商品配置空間１１を設けている。各分割トレイ１６は、底面の外周縁に沿って周壁を設けてなる形状としている。
【００４５】
内トレイ１は、前後方向に隣接する分割トレイ１６の対向する周壁を互いに連結して区画壁１３を形成している。図４ないし図９に示す区画壁１３は、略鉛直姿勢に設けられており、部分的に上端縁を凹状に窪ませた成形凹部１３Ｘを形成している。図の成形凹部１３Ｘは、両端をテーパー面とする逆台形状としている。この構造の区画壁１３は、凹状の成形凹部１３Ｘを設けることで内トレイ１の強度を補強できる。図の区画壁１３は、中央部の上端であって、境界壁１２の反対側方向に多少偏在して設けている。区画壁１３に設けた成形凹部１３Ｘの長さ（Ｈ）は、図２に示すように、後述する押圧部２５の幅（ｄ２）と等しくし、あるいはこれよりも長くしており、被覆部２で内トレイ１を被覆した状態で、押圧部２５が区画壁１３と当接する領域が、成形凹部１３Ｘとなるよう設定している。
【００４６】
さらに、内トレイ１は、左右方向に隣接する分割トレイ１６同士の対向する周壁を互いに連結して境界壁１２を形成している。図４ないし図９に示す境界壁１２は、略鉛直姿勢に設けられており、上端面には所定の幅の平面部１２Ｙを設けると共に、部分的に上端縁を凹状に窪ませた複数の成形凹部１２Ｘを形成している。図の成形凹部１２Ｘは、両端をテーパー面とする逆台形状としている。この構造の境界壁１２は、複数の成形凹部１２Ｘを設けることで内トレイ１を補強できる。図の境界壁１２は、前後方向に設けた商品配置空間１１の中央部と対向する位置に成形凹部１２Ｘを設けている。ただ、内トレイは、境界壁に設ける成形凹部を省略することもできる。
【００４７】
以上のように、複数の分割トレイ１６を前後左右に連結して全体の外形を長方形とする内トレイ１は、外周に位置する周壁の上端に沿って所定の幅を有する枠形状の外枠部１７を形成すると共に、この外枠部１７の外周縁から下方に伸びるスカート部１８を設けている。
【００４８】
さらに、内トレイ１は、外周面の一部に破断切欠１９を設けている。図４に示す内トレイ１は、外周に沿って形成されたスカート部１８に複数の破断切欠１９を設けている。この内トレイ１は、外周面に設けた破断切欠１９を起点として内トレイ１を構成するシート材を破断することで、内トレイ１を小さく分割しながら廃棄できる。図４の内トレイ１は、長方形の枠形状であるスカート部１８の各辺の中間であって、境界壁１２と区画壁１３の端縁と対向する位置に破断切欠１９を設けている。この構造の内トレイ１は、境界壁１２に沿って破断して２分割すると共に、２分割された内トレイ１を、区画壁１３に沿って破断してさらに細かく分割しながら廃棄できる。図４に示す破断切欠１９は、円弧状の凹部としている。ただ、破断切欠は、図示しないが、Ｖ字状やスリット状にカットすることも、直線状の切り込みとすることもできる。シート材の外周縁を鋭角にカットする破断切欠は、これを起点としてシート材を速やかに破断して、内トレイを小さく分割しながら廃棄できる。また、前述のように、シート材を非プラスチック材料とする内トレイは破断し易くできるので、破断切欠を起点としてシート材を小さく分割して廃棄できる。ただ、内トレイは、必ずしも破断切欠を設ける必要はない。
【００４９】
（被覆部２）
被覆部２は、図３の分解斜視図と図１０の展開図に示すように、シート状に構成されている。このようなシート状の被覆部２として、所定の厚さを有する紙やプラスチック、あるいはこれ等を混合してなる材料からなるシート材が使用できる。これ等のシート材で構成される被覆部２は、所定の厚さとすることで、折曲ないし湾曲が、ある程度は抑制される強度とする。例えば、紙製のシート材からなる被覆部２は、厚さを０．１ｍｍ〜１０ｍｍ、好ましくは０．２ｍｍ〜５ｍｍ、さらに好ましくは０．３ｍｍ〜２ｍｍ、とする厚紙や段ボール紙で製造することができる。紙製の被覆部２は、安価で製造しやすく、また、使用後には廃棄しやすい特徴がある。プラスチックシートで製造される被覆部は、丈夫で破断されにくく、水に強い性質がある。
【００５０】
シート状の被覆部２は、図１１ないし図１４に示すように、展開して上面に内トレイ１を置いた状態で、周囲から内トレイ１を覆う構造としている。図に示す被覆部２は、内トレイ１を前後左右の四方からそれぞれ覆うように折曲させる４つの折曲片２１を備えている。さらに、被覆部２は、図２に示すように、内トレイ１の周囲を覆う際に、内トレイ１の商品収納空間１１に収納された各商品３の表面に接触して押圧する押圧部２５を備えている。被覆部２は、この押圧部２５によって、各商品３を内トレイ１の傾斜面１４と被覆部２の押圧部２５とで狭持して保持するようにしている。
【００５１】
図３と図１０に示す被覆部２は、内トレイ１が載置される長方形状の底シート２０と、この底シート２０の前後左右の四方に連結された４つの折曲片２１とで構成されている。底シート２０は、内トレイ１の外形とほぼ等しい長方形状としている。４つの折曲片２１は、図において、底シート２０の左右の外周縁に連結された一対の内側折曲片２１Ａと、底シート２０の前後の外周縁に連結された一対の外側折曲片２１Ｂとを備えている。この被覆部２は、底シート２０の上面に内トレイ１を配置する状態で、内側折曲片２１Ａを内トレイ１の上面側に折曲して外側折曲片２１Ｂの内側に配置し、外側折曲片２１Ｂを内側折曲片２１Ａの上に積層するように折曲して、内トレイ１の周囲を被覆する。被覆部２は、一対の内側折曲片２１Ａで内トレイ１の上面の少なくとも一部を、図１３に示す被覆部２においては両側部を被覆すると共に、図１４と図１に示すように、内トレイ１の上面に配置された内側折曲片２１Ａの上面に外側折曲片２１Ｂを積層して、内側折曲片２１Ａと外側折曲片２１Ｂとで内トレイ１の上面を完全に被覆する。
【００５２】
各折曲片２１は、内トレイ１の側面を被覆する側面カバー部２３と、内トレイ１の上面を被覆する上面カバー部２２とを備えている。図３と図１０の被覆部２は、底シート２０の四方の外周縁に側面カバー部２３を介して上面カバー部２２を連設している。それぞれの側面カバー部２３は、内トレイ１の対向する側面をカバーできる形状としている。被覆部２は、底シート２０と側面カバー部２３との境界縁、及び側面カバー部２３と上面カバー部２２との境界縁を折曲ライン２４（図において、一点鎖線で示す）として、折曲片２１を内トレイ１の周囲に沿って折曲しやすくしている。
【００５３】
さらに、被覆部２は、折曲片２１の先端に押圧部２５を設けている。図２、及び図１０ないし図１３に示す被覆部２は、左右に配置されて互いに対向する内側折曲片２１Ａの先端部に、それぞれ押圧部２５を設けている。内側折曲片２１Ａの先端部に設けられる押圧部２５は、内トレイ１に収納された全ての商品３の表面を押圧できるように、略平行に配置される複数の商品３の配列方向（図において前後方向）に延長して設けられている。図に示す内側折曲片２１Ａは、内トレイ１の上に配置される内側上面プレート部２２Ａの先端に平面状の折り返し片２６を設けており、この折り返し片２６を折曲ライン２４で折り返して押圧部２５を形成している。内側折曲片２１Ａは、図２と図１３に示すように、折り返し片２６を内側上面プレート部２２Ａに対して１８０度折り返す状態で折曲して、内側折曲片２１Ａの内面側に押圧部２５を配置している。この押圧部２５は、折り返された折り返し片２６が元の形状に戻ろうとする復元力ないし反発力によって、内トレイ１に収納された複数の商品３の表面を押圧する。
【００５４】
さらに、図２に示す押圧部２５は、折り返し片２６を内側上面カバー部２２Ａから所定の間隔を離して配置できるように、内側上面カバー部２２Ａと折り返し片２６との間に所定の幅の折曲スペース部２７を設けている。この構造の押圧部２５は、被覆部２で内トレイ１を被覆する状態において、内側上面カバー部２２Ａから一段下がった位置に略水平な姿勢で折り返し片２６を配置できるので、押圧部２５の押圧面２５Ａをより広い面積で商品３の表面に当接させて、商品３を安定して定位置に保持できる。また、内側折曲片２１Ａの内側に配置される押圧部２５を、内トレイ１の区画壁１３に設けた成形凹部１３Ｘに案内して、押圧部２５を内トレイ１の定位置に配置できる。ここで、折曲スペース部２７の幅（ｄ３）は、内トレイ１の区画壁１３に設けた成形凹部１３Ｘの深さ（Ｓ）よりも小さくして、内側折曲片２１Ａの内側に突出する押圧部２５を、スムーズに成形凹部１３Ｘに案内できるようにしている。ただ、押圧部は、必ずしも折曲スペース部を設ける必要はない。また、図２に示す押圧部２５は、折り返し片２６の幅（ｄ２）を成形凹部１３Ｘの長さ（Ｈ）とほぼ等しくし、あるいはやや小さくしており、内トレイ１の区画壁１３に設けた成形凹部１３Ｘの内側に押圧部２５の全体を案内できるようにしている。図に示す押圧部２５は、商品３の長さ（Ｌ）の少なくとも１／４以上を押圧するように構成している。図に示す押圧部２５は、折り返し片２６の幅（ｄ２）を商品３の長さ（Ｌ）の１／４〜１／３として、内トレイ１に収納される商品３を広い面積で押圧できるようにしている。ただ、押圧部は、折り返し片の幅（ｄ２）を商品３の長さ（Ｌ）の１／２０〜９／１０とすることもできる。
【００５５】
以上の押圧部２５は、図２と図１２に示すように、折り返し片２６を平面状としており、内トレイ１を被覆する状態では、平面状の折り返し片２６で商品３の表面を押圧する構造としている。この構造は、簡単かつ容易に折曲片２１に押圧部２５を形成しながら、平面状の押圧面２５Ａによって複数の商品３の広い領域を均一に押圧できる特徴がある。
【００５６】
さらに、押圧部は、図１５ないし図１７に示すように、内トレイ１を被覆する状態で、配列される複数の商品３の形状に応じた凹凸面４５Ａを形成することもできる。これ等の図に示す被覆部４２は、内側上面カバー部２２Ａの先端縁から折り返し片４６の先端部に向かって商品３の延長方向に伸びる複数本の切り込み４８を設けると共に、内側上面カバー部２２Ａと折り返し片４６との境界部分には、２本の折曲ライン４４によって三角形状の折曲スペース部４７を、複数個、直線状に配置して設けている。折り返し片４６に設けられる複数本の切り込み４８は、内トレイ１に配列される複数の商品３同士の境界部分に沿って設けられている。この被覆部４２は、内側上面プレート部２２Ａと折り返し片４６との境界部分を折曲ライン４４で折曲して、三角形状の折曲スペース部４７を形成する状態では、図１６に示すように、切り込み４８によって分割された複数列の突出部４９が折り返し片４６に形成される。図に示す折り返し片４６は、突出部４９を形成しやすくするために、各切り込み４８の先端部を突出部４９に沿って湾曲させている。これらの突出部４９は、図１７に示すように、内トレイ１に収納される傾斜姿勢の商品３の表面に沿う傾斜面４９Ａを形成しており、これらの傾斜面４９Ａにより凹凸面４５Ａを形成している。この構造の押圧部４５は、内トレイ１に傾斜姿勢で収納される複数の商品３の表面に沿って突出部４９の傾斜面４９Ａを当接させることで、複数の商品３を所定の傾斜姿勢に保持できる特徴がある。とくに、複数の商品３を傾斜姿勢に保持しながら安定して搬送できる。
【００５７】
内側折曲片２１Ａは、内側上面カバー部２２Ａを、内トレイ１の左右の外周縁に沿って上面の両側部を被覆する形状と大きさとしている。図１０ないし図１３に示すに示す内側上面カバー部２２Ａは、内トレイ１の両側部と対向する部分を長方形状としており、この内側上面カバー部２２Ａの長さ（ｄ１）を、内トレイ１に設けた商品配置空間１１の横幅（Ｗ）の約１／２として、各収納ブロック１０の商品配置空間１１に収納される複数の商品３の長さ方向の約半分をカバーする構造としている。この被覆部２は、左右の内側上面カバー部２２Ａで内トレイ１の上面を被覆する状態では、図１３に示すように、内トレイ１の中央領域を表出させる構造としている。この構造の商品収納ケースは、外側折曲片２１Ｂのみを展開した状態で、言い換えると、内側折曲片２１Ａを展開することなく収納された商品３を確認できる。
【００５８】
さらに、図１０ないし図１３に示す内側折曲片２１Ａは、内トレイ１の上面側に折曲された状態で、内側上面カバー部２２Ａを底シート２０から所定の高さに支持する支持部２８を、内側上面カバー部２２Ａの両側縁に連結して設けている。図に示す支持部２８は、内側上面カバー部２２Ａの側縁とほぼ等しい長さと、側面カバー部２３とほぼ等しい幅を有しており、内側上面カバー部２２Ａとの境界において折曲ライン２４で折曲されて、内トレイ１の前後の側面に沿って配置される。この支持部２７は、被覆部２で内トレイ１の周囲を被覆する状態において、外側折曲片２１Ｂの側面カバー部２３の内面に沿って配置されて上下方向における強度を高くしている。これにより、被覆部２は、内トレイ１の周囲を被覆する状態で、内トレイ１の外形に沿う所定の形状に安定して保持される。また、内トレイ１の上面に配置される内側上面カバー部２２Ａの両側縁を支持部２８で支持することで、内トレイ１に収納される商品３の上面が、内側上面カバー部２２Ａに強く押圧されるのを抑制している。
【００５９】
外側折曲片２１Ｂは、内トレイ１の上面に配置された内側折曲片２１Ａの上に積層されて内トレイ１の上面側を被覆する。被覆部２は、図１に示すように、内側折曲片２１Ａと外側折曲片２１Ｂとで内トレイ１の上面を被覆する状態では、内トレイ１の上面全体を完全に被覆して、内トレイ１に収納された商品３が表出しないようにする。したがって、外側折曲片２１Ｂの外側上面カバー部２２Ｂは、内側折曲片２１Ａの内側上面カバー部２２Ａの上面に積層される状態で、一対の内側上面カバー部２２Ａの間にできる隙間を被覆する大きさと形状としている。図１、図３、及び図１０ないし図１４に示す外側上面カバー部２２Ｂは、先端に向かって次第に幅が狭くなる等脚台形に近似する六角形状としており、対向する先端部を互いに積層して、この積層部を連結機構３０で連結している。
【００６０】
図３に示す外側折曲片２１Ｂは、前方に設けられた第一外側上面カバー部２２Ｂａの長さ（ｄ４）を内トレイ１の縦幅（Ｙ）の約１／２より大きくすると共に、後方に設けられた第二外側上面カバー部２２Ｂｂの長さ（ｄ５）を内トレイ１の縦幅（Ｙ）の約１／２としており、第一外側上面カバー部２２Ｂａの上面に第二外側上面カバー部２２Ｂｂを積層する状態で、対向する外側上面カバー部２２Ｂ同士の先端部を互いに積層させる構造としている。また、第二外側上面カバー部２２Ｂｂは、先端縁の横幅（ｘ１）を内トレイ１の横幅（Ｘ）の約１／２としており、内トレイ１の中央領域で互いに積層される第一外側上面カバー部２２Ｂａと第二外側上面カバー部２２Ｂｂとで、一対の内側上面カバー部２２Ａの間にできる隙間を被覆するようにしている。
【００６１】
さらに、一対の外側折曲片２１Ｂは、互いに積層される第一外側上面カバー部２２Ｂａと第二外側上面カバー部２２Ｂｂの先端部同士を連結機構３０で連結している。図１０に示す連結機構３０Ａは、第二外側上面カバー部２２Ｂｂの先端部に設けた係止片３１と、第一外側上面カバー部２２Ｂａの先端部に設けた係止部３２とからなる。図に示す外側折曲片２１Ｂは、第二外側上面カバー部２２Ｂｂの先端につまみ部２９を設けており、このつまみ部２９と第二外側上面カバー部２２Ｂｂとの境界部に、第二外側上面カバー部２２Ｂｂの後端側に向かって突出する切り込み３３を設けて、この切り込み３３の内側に係止片３１を設けている。図に示す切り込み３３は半円状としており、半円状の切り込み３の湾曲部を第二外側上面カバー部２２Ｂｂの後端側に向けると共に、切り込み３の両端を、つまみ部２９と第一外側上面カバー部２２Ｂａとの境界線である折曲ライン３４に連結している。図に示す連結機構３０Ａは、２個の係止片３１を折曲ライン３４に沿って設けており、これ等の係止片３１を案内する係止部３２として、細長いスリット孔３２ａを第一外側上面カバー部２２Ｂａの先端部に開口して設けている。
【００６２】
以上の構造の連結機構３０Ａは、図１４に示すように、つまみ部２０を折曲ライン３４で折曲させる状態で、つまみ部２９に連結された半円状の係止部３１が切り込み３３から切り離されて、第二外側上面カバー部２２Ｂｂに対して突出する。この突出する係止片３１を第一外側上面カバー部２２Ｂａに設けた係止部３２であるスリット孔３２Ａに案内して、係止片３１が係止部３２に係止される。この連結機構３０Ａは、係止片３１を係止部３２に案内する状態で、つまみ部２９を元に姿勢に戻し、すなわち、図１に示すように第一外側上面カバー部２２Ｂａの上面に積層することで、係止片３１が係止部３２に対して外れないように係止される。以上の連結機構３０Ａは、簡単な構造で、一対の外側折曲片２１Ｂの積層部を外れないように連結できる。
【００６３】
さらに、連結機構３０は、図１８と図１９に示す構造とすることもできる。これらの図に示す連結機構３０Ｂは、一対の外側折曲片２１Ｂの先端部に設けた係止片３５で構成されている。この連結機構３０Ｂは、内トレイ１の上面に配置された内側折曲片２１Ａの上に一対の外側折曲片２１Ｂを積層する状態で、対向する係止片３５同士を互いに係止させて連結する。
【００６４】
図１８と図１９に示す一対の外側折曲片２１Ｂは、それぞれの先端部に、対向する外側折曲片２１Ｂの係止片３５が積層されるラップ部３６と、このラップ部３６に連設された係止片３５とを備えている。一対の外側折曲片２１Ｂは、ラップ部３６及び係止片３５の形状を、対向する係止片３５同士の接合点３７を対象の中心とする点対称な形状としている。図に示す外側折曲片２１Ｂは、その先端部において、左右の中心線を境界線として、片側をラップ部３６として、反対側に係止片３５を設けている。係止片３５は、外側折曲片２１Ｂの後端側に突出する係止部３５Ａを備えており、この係止部３５Ａ同士を互いに係止させることで、係止状態が容易に解除されるのを防止している。図の外側折曲片２１Ｂは、先端部を切断ライン３７で湾曲形状に切断することにより、係止部３５Ａを有する係止片３５を形成している。この外側折曲片２１Ｂは、切断ライン３８の内側の起点を接合点３７として、対向する係止片３５同士が互いに係止される。
【００６５】
以上の連結機構３０Ｂは、一対の外側折曲片２１Ｂの先端部を互いに交差させる状態で接合させて、対向する係止片３５同士を係止させる。この連結機構３０Ｂは、それぞれの外側折曲片２１Ｂの先端部に設けた係止片３５を、対向する外側折曲片２１Ｂのラップ部３６の上面に積層するように配置し、言い換えると、それぞれのラップ部３６を対向する係止片３５の下側に挿入するように交差させて、一対の係止片３５同士を互いに係止させる。この連結機構３０Ｂは、一対の外側折曲片２１Ｂの交差部分を美しい外観としながら、後端側に突出する係止部３５Ａ同士を互いに係止させることで、外れないように確実に連結できる。ただ、連結機構は、以上の構造には特定せず、一対の外側折曲片の先端部を互いに連結できる他の全ての機構が採用できる。
【００６６】
以上の商品収納ケースは、以下のようにして複数の商品３を定位置に配置しながら収納する。
（１）図９に示すように内トレイ１の商品配置空間１１に商品３を配置する。商品３は、それぞれ商品配置空間１１の底面に設けられた傾斜面１４に沿う傾斜姿勢で配置される。複数の商品３は、略平行に配置されて、配列方向（図において前後方向）に収納される。
（２）図１１に示すように、所定数の商品３が定位置に収納された内トレイ１を、展開した被覆部２の底シート２０の上面に配置する。
（３）図１２に示すように、被覆部２の内側折曲片２１Ａの先端に設けた折り返し片２６を内側に折り返して、内側上面プレート部２２Ａの内面側に押圧部２５を形成する。
（４）図１３に示すように、一対の内側折曲片２１Ａの内側上面プレート部２２Ａを内トレイ１の両側部の上面に配置する。このとき、内側上面プレート部２２Ａの内側に設けた押圧部２５を内トレイ１の上面に配置して、内トレイ１に収納された複数の商品３の表面を押圧部２５で押圧する。
（５）図１４に示すように、内トレイ１の上面に配置された内側折曲片２１Ａの上に、一対の外側折曲片２１Ｂを積層する。この状態で、被覆部２は、内側折曲片２１Ａと外側折曲片２１Ｂとで内トレイ１の上面全体を完全に被覆する。さらに、互いに積層される一対の外側折曲片２１Ｂの先端部同士を連結機構３０で連結する。
【００６７】
以上の商品収納ケースは、内トレイ１が左右２列の収納ブロック１０を備えており、各収納ブロック１０に複数の商品３を収納して、すなわち内トレイ１に２列に商品を配列している。このため、被覆部２は、左右の内側折曲片２１Ａに設けた押圧部２５で各収納ブロック１０に収納される商品３の表面を押圧する構造としている。ただ、内トレイは、必ずしも２列の収納ブロックに商品を収納する構造には特定しない。内トレイは、１列に商品を収納し、あるいは３列に商品を収納することもできる。
【００６８】
商品を１列に収納する内トレイを備える商品収納ケースは、図２０に示すように、被覆部に設けた両側の折曲片２１のうち、いずれか一方の折曲片２１にのみ押圧部２５を設けて、この押圧部２５で商品３を押圧することができる。図２０の被覆部は、対向する一対の内側折曲片の一方にのみ折り返し片を設けて押圧部を形成している。この商品収納ケースは、被覆部を簡単な構造にできる。
【００６９】
さらに、商品を１列に収納する内トレイを備える商品収納ケースは、図２１に示すように、被覆部の両側の折曲片２１に押圧部２５を設けることもできる。図２１の被覆部は、対向する一対の内側折曲片の両方に折り返し片を設けて、一対の押圧部を形成している。この被覆部は、１列に配列される複数の商品を、左右の折曲片に設けた押圧部で押圧するので、より確実に定位置に保持できる。
【００７０】
さらに、商品収納ケースは、商品を３列に内トレイに収納し、この内トレイを被覆部で被覆することもできる。商品を３列に収納する内トレイを備える商品収納ケースは、図示しないが、両側の折曲片に設けた押圧部で両側の商品を押圧すると共に、前後方向の折曲片の一方に設けた押圧部で中央部に位置する商品を押圧することができる。この被覆部は、対向する一対の内側折曲片の先端に折り返し片を設けて、左右に一対の押圧部を形成すると共に、一対の外側折曲片のうち、内側に積層される外側折曲片の先端にも折り返し片を設けて、中央部にも押圧部を設けることができる。中央部に形成される押圧部は、内トレイの中央部に配列される商品の配列方向に延長して設けることができる。この被覆部は、内トレイに３列に収納される複数の商品のうち、左右の両側に配列される商品を、一対の内側折曲片に設けた押圧部でそれぞれ押圧し、中央部に配列される商品を外側折曲片に設けた押圧部で押圧して定位置に保持する。
【００７１】
さらに、本発明の他の実施の形態に係る商品収納ケース２００を図２２ないし図２８に示す。図２２は商品収納ケースの一部拡大垂直横断面図を、図２３は図２２に示す商品収納ケースの分解斜視図を、図２４ないし図２８は図２３に示す商品収納ケースの内トレイの斜視図、平面図、及び断面図をそれぞれ示している。
【００７２】
図２２と図２３に示す商品収納ケース２００は、内トレイ５１の周囲を覆う被覆部６２を、内トレイ５１を収納する上方開口の下ケース６３と、この下ケース６３の上面を被覆する下方開口の蓋ケース６４とで構成している。下ケース６３と蓋ケース６４とからなる被覆部６２で被覆される内トレイには、前述の実施形態１の内トレイ１と同じ構造のものも使用できるが、図２２ないし図２８に示す内トレイ５１は、前述の内トレイ１とは多少異なる構造としている。したがって、以下の説明においては、前述の内トレイ１と同じ構成要件には同符号を付してその詳細な説明を省略し、前述の内トレイ１と構造が異なる部分について詳述する。
【００７３】
（内トレイ５１）
図２２ないし図２８に示す内トレイ５１も、１枚のシート材を成形して、複数の商品配置空間１１を有する凹凸形状に一体成形している。内トレイ５１は、中央部に境界壁５２を設けて左右に２列の収納ブロック１０に区画すると共に、各収納ブロック１０には前後に離して３条の区画壁５３を設けて、前後に４つの商品配置空間１１に区画して、左右前後に２×４個の商品配置空間１１を設けている。内トレイ５１は、複数の商品配置空間１１を、それぞれ複数の分割トレイ５６で構成しており、２×４個の分割トレイ５６を互いに連結する形状に一体成形して８個の商品配置空間１１を設けている。各分割トレイ５６は、底面の外周縁に沿って周壁を設けてなる容器形状としている。
【００７４】
図２４ないし図２８に示す内トレイ５１の分割トレイ５６は、前方側に位置する周壁については、略鉛直姿勢とすると共に、平面視（図２５参照）において、中央部を後方に向かって円弧状に突出させて湾曲凸部５７を形成している。この構造は、底面と周壁との連結部分を湾曲形状とすることで、底面に対して起立姿勢で連結される周壁の強度を高くできる。また、分割トレイ５６は、後方側に位置する周壁については、前方から後方に向かって上り勾配に傾斜する傾斜面５４としている。この傾斜面５４は、商品配置空間１１に収納される商品３を傾斜姿勢で配置できるように、所定の角度に傾斜させている。この傾斜面５４も、鉛直面に対して２０度〜８０度の範囲の傾斜角度（α）となるように傾斜させている。
【００７５】
さらに、商品配置空間１１の後方に形成される傾斜面５４は、左右方向における中央部に、両端部よりも一段低い段差凹部５５を設けている。これにより、傾斜面５４は、両端部に設けた第一傾斜面５４Ａよりも、中央部の段差凹部５５に設けた第二傾斜面５４Ｂを一段低く形成している。図に示す内トレイ５１は、段差凹部５５に形成される第二傾斜面５４Ｂの横幅（Ｗ４）を、商品配置空間１１全体の横幅（Ｗ）の約１／２の長さとし、段差凹部５５の両側に形成される第一傾斜面５４Ａの横幅（Ｗ３）を、商品配置空間１１全体の横幅（Ｗ）の約１／４の長さとしている。ただ、第二傾斜面の横幅は、商品配置空間全体の横幅の１／５〜２／３の長さとし、第一傾斜面の横幅を、商品配置空間全体の横幅の１／６〜２／５の長さとすることもできる。すなわち、傾斜面５４は、第一傾斜面と第二傾斜面の横幅を種々に変更できる。このように、傾斜面５４の中央部に段差凹部５５を設ける構造は、中央領域が両端部よりも膨らむ構造の商品、例えば、包装体の内部に粒状ないし液状の充填物を収納してなる商品を理想的に収納できる特徴がある。また、傾斜面を段差形状とすることで、内トレイ５１を補強できる特徴もある。ただ、傾斜面は、必ずしも段差凹部を設けて第一傾斜面と第二傾斜面とに分割する必要はなく、段差凹部のない平面状の傾斜面とすることもできる。この傾斜面は、全体が均一な厚さの商品、例えば、平面状の商品を配置するのに適している。
【００７６】
この内トレイ５１は、商品配置空間１１の底面に設けた傾斜面１４と、商品配置空間１１の後方に設けた傾斜面５４によって、各商品配置空間１１に収納される商品３を傾斜姿勢で配置する。図の内トレイ５１は、商品配置空間１１に複数の傾斜面１４、５４を設けて、各商品配置空間１１に複数の商品３を収納できるようにしている。図２４ないし図２８の内トレイ５１は、商品配置空間１１の底面に、上方に向かって山形に突出する凸条１５を設けており、これらの山形の凸条１５の前方側である片側面を所定の角度に傾斜させて傾斜面１４としている。図の内トレイは、商品配置空間１１の底面に１列又は２列の凸条１５を設けて傾斜面１４を設けると共に、商品配置空間１１の後方に傾斜面５４を設けて、各商品配置空間１１に複数の傾斜面１４、５４を設けている。商品配置空間１１に形成される複数行の傾斜面１４、５４は、前後方向である商品３の配列方向において、所定の間隔で形成されており、傾斜面１４、５４に沿って配置される商品３を、所定の姿勢で保持できるようにしている。
【００７７】
図２４ないし図２８の内トレイ５１は、前後方向に４個の商品配置空間１１を設けている。図において最も前方に設けた商品配置空間１１は、２列の凸条１５を設けて２行の傾斜面１４を設けると共に、後方に位置する周壁を傾斜面５４として、全体で３行の傾斜面１４、５４を設けて、３個の商品３を配置できるようにしている。また、後方に設けた３つの商品配置空間１１は、１列の凸条１５を設けて１行の傾斜面１４を設けると共に、後方に位置する周壁を傾斜面５４として、全体で２行の傾斜面１４、５４を設けて、２個の商品３を配置できるようにしている。すなわち、図に示す内トレイ５１は、４個の商品配置空間１１を備える各収納ブロック１０にそれぞれ９個の商品３を傾斜姿勢で配列すると共に、収納ブロック１０を２列に配置して、全体では１８個の商品３を収納する構造としている。ただ、この内トレイも、収納する商品の個数や配列を以上の構成には特定せず、用途や必要に応じて種々に変更することができる。
【００７８】
内トレイ５１は、前後方向に隣接する分割トレイ１６の対向する周壁の上端を互いに連結して区画壁５３を形成している。図２４ないし図２８の区画壁５３は、前方側である片側面を、後方に向かって上り勾配に傾斜する傾斜面５４とし、後方側である片側面を略鉛直面として、中央部には後方に突出する湾曲凸部５７を設けている。さらに、図に示す区画壁５３は、上端面に所定の幅の平面部５３Ｙを設けている。この形状の区画壁５３は、横断面形状を台形状とすることで全体の厚さを厚くしながら、前後の面を下方に向かって次第に広がる形状とすることで優れた強度を実現できる。
【００７９】
さらに、区画壁５３は、部分的に上端縁を凹状に窪ませた成形凹部５３Ｘを形成している。図の区画壁５３は、中央部の上端に成形凹部５３Ｘを設けている。図の成形凹部５３Ｘは、円弧状に湾曲された湾曲凹部としている。このように、上端に成形凹部５３Ｘを設ける構造は、区画壁５３をさらに補強できる特徴がある。また、商品配置空間１１から商品を取り出す際には、この成形凹部５３Ｘに指先を挿入して、簡単かつ容易に商品を摘んで取り出しできる。したがって、区画壁５３に形成される成形凹部５３Ｘの横幅や深さは、これ等のことを考慮して最適な値に決定される。
【００８０】
さらに、内トレイ５１は、左右方向に隣接する分割トレイ５６同士の対向する周壁を互いに連結して境界壁５２を形成している。図２４ないし図２８に示す境界壁５２は、略鉛直姿勢に設けられており、上端面には所定の幅の平面部５２Ｙを設けると共に、部分的に上端縁を凹状に窪ませた複数の成形凹部５２Ｘを形成している。図に示す成形凹部５２Ｘは、円弧状に湾曲された湾曲凹部としている。この構造の境界壁５２も、複数の成形凹部５２Ｘを設けることで内トレイ５１を補強できる。図の境界壁５２は、前後方向に設けた商品配置空間１１の中央部と対向する位置と、前後の両端部に成形凹部５２Ｘを設けている。ただ、内トレイは、境界壁に設ける成形凹部を省略することもできる。
【００８１】
以上の内トレイ５１は、複数の分割トレイ５６を前後左右に連結して全体の外形を長方形としている。さらに、内トレイ５１は、外周に位置する周壁の上端に沿って所定の幅を有する枠形状の外枠部１７を形成すると共に、この外枠部１７の外周縁から下方に伸びるスカート部１８を設けている。この内トレイ５１は、外周部に形成された外枠部１７とスカート部１８によって、上面の外周縁に沿って下方開口の外周溝５８を設けている。この外周溝５８は、図２２に示すように、下ケース６３の外周に設けた側壁６３Ｂの上端を案内して、この側壁６３Ｂの上端面を被覆する。したがって、外周溝５８の深さ（ｋ）及び溝底の幅（ｓ）は、ここに案内される側壁６３Ｂの上端をスムーズに案内しながら、外周壁５８に挿入された側壁６３Ｂを抜け難くできる大きさに設計される。外周溝５８の深さ（ｋ）は、例えば、下ケース６３の側壁６３Ｂの高さ（Ｔ）の１／１０〜１／３、好ましくは、１／６〜１／４とし、外周溝５８の溝底の幅（ｓ）は、例えば、下ケース６３の側壁６３Ｂの厚さ（ｔ）の１〜５倍とすることができる。内トレイ５１は、外周溝５８の深さ（ｋ）や溝底の幅（ｓ）が以上の範囲となるように、外枠部１７の幅とスカート部１８の長さを決定する。
【００８２】
さらに、図２６ないし図２８に示す内トレイ５１は、外周縁に設けるスカート部１８を下方に向かって裾広がりとなるように傾斜させている。この構造は、外周溝５８の開口幅を下方に向かって広くして、後述する下ケース６３の側壁６３Ｂの上端を挿入しやすくできる特徴がある。ただ、スカート部は傾斜させることなく鉛直下向きに設けることもできる。
【００８３】
図２４と図２５に示す内トレイ５１は、外周縁の全周にわたって外枠部１７とスカート部１８とを設けている。すなわち、図の内トレイ５１は、外周縁の全周にわたって外周溝５８を設けている。この構造の内トレイ５１は、下ケース６３の側壁６３Ｂの上端縁を全周にわたって外周溝５８でカバーするので、下ケース６３と内トレイ５１とを外周部全体で一体的に連結して、外観を美しくできる特徴がある。ただ、内トレイは、必ずしも外周縁の全周にわたって外周溝を設ける必要はなく、部分的に外枠部とスカート部とを設けて、この部分にのみ下方開口の外周溝を設けることもできる。この内トレイは、例えば、外周縁の四辺に沿って外周溝を設け、あるいは、四隅部に沿って外周溝を設けることができる。
【００８４】
さらに、図示しないが、この内トレイも、外周に沿って形成されたスカート部に破断切欠を設けることができる。
【００８５】
なお、前述の実施形態１の内トレイ１についても、上面の外周縁に沿って枠形状の外枠部１７を設けると共に、この外枠部１７の外周縁にスカート部１８を設けて、この外枠部１７とスカート部１８により下方開口の外周溝５８を形成しているので、この内トレイ１についても、図２２と同様に、下ケース６３の内側に収納する状態で、外周溝５８の内部に下ケース６３の側壁６３Ｂの上端を案内して、互いに位置決めしながら連結できる。
また、この実施形態２の内トレイ５１についても、前述の実施形態１の被覆部２で周囲を被覆することもできる。
【００８６】
（被覆部６２）
被覆部６２は、図２２と図２３に示すように、内トレイ５１が内側に収納される上方開口の下ケース６３と、下ケース６３の上面を被覆する下方開口の蓋ケース６４とからなる。
【００８７】
下ケース６３は、底プレート６３Ａの外周縁に側壁６３Ｂを連結してなる箱形としている。底プレート６３Ａは、図２３と図２９に示すように、内トレイ５１の上面の外形とほぼ等しい外形の長方形としている。長方形の底プレート６３Ａの４辺には、側壁６３Ｂを連設している。下ケース６３は、底プレート６３Ａの周囲に設けた側壁６３Ｂを折曲すると共に、互いに隣接する側壁６３Ｂ同士を端縁で連結して全体の形状を箱形に形成している。
【００８８】
図２３と図２９に示す下ケース６３は、互いに隣接する側壁６３Ｂ同士を接着して連結している。この下ケース６３は、互いに隣接する側壁６３Ｂ同士のうち、一方の側壁６３Ｂの端縁に糊代６５を連設して、この糊代６５を対向する側壁６３Ｂの端部に接着して互いに連結している。このように、互いに隣接する側壁６３Ｂ同士を接着する下ケース６３は、底プレート６４に対して起立姿勢で折曲された側壁６３Ｂを確実に所定の姿勢に保持できる特徴がある。
【００８９】
ただ、下ケースは、互いに隣接する側壁同士を、係止構造で連結することもできる。図３０と図３１の下ケース６３は、互いに隣接する側壁６３Ｂ同士のうち、一方の側壁６３Ｂの端縁に係止片６６を連設し、この係止片６６と対向する他方の側壁６３Ｂの端部には、係止片６６を挿入して係止する切り込み６７を設けている。図の係止片６６は、先端部に、上方に突出する係止凸部６６Ａを形成している。切り込み６７は、係止片６６の係止凸部６６Ａを案内して係止できるように斜めにカットしている。この下ケース６３は、図３１に示すように、係止凸部６６Ａを切り込み６７に挿入して係止することで、互いに隣接する側壁６３Ｂ同士を連結して、下ケース６３を所定の形状に形成する。この下ケース６３は、底プレート６３Ａに対して起立姿勢に折曲される側壁６３Ｂ同士を係止構造で簡単に連結できる。また、この下ケース６３は、接着剤を使用しないので、製造コストを低減できる特徴がある。
【００９０】
さらに、図２２に示す下ケース６３は、底プレート６３Ａに対して起立姿勢で折曲される側壁６３Ｂを内側に向かって傾斜させている。下ケース６３は、この図に示すように、側壁６３Ｂを内側に向かって傾斜する姿勢とすることで、上方開口部を絞る形状として、側壁６３Ｂの上端縁を内トレイ５１の外周溝５８に案内しやすくできる。また、図に示す内トレイ５１は、外周溝５８の外周壁であるスカート部１８を裾広がりとなるように傾斜させているので、傾斜するスカート部１８の内面に沿って傾斜する側壁６３Ｂを挿入することで、スカート部１８と側壁６３Ｂとの間にできる隙間を極減して、下ケース６３に対する内ケース５１の相対的な位置ずれやガタつきを抑制しながら、美しい外観にできる特徴がある。側壁６３Ｂは、鉛直面に対する傾斜角度（β）を、０〜４５度、好ましくは１〜３０度、さらに好ましくは２〜１０度とすることができる。
【００９１】
図２３に示す下ケース６３は、４辺に設けた側壁６３Ｂを全て内側に傾斜する姿勢としている。この下ケース６３は、下ケース６３の下端面の外形を、上端面の外形よりも大きくすると共に、好ましくは、下ケース６３の下端面の外形を、側壁６３Ｂの上端にセットされる内トレイ５１の外周縁の外形とほぼ等しくすることができる。この構造は、下ケース６３に内トレイ５１をセットする状態で、内トレイ５１の外周縁が下ケース６３の外周縁から外側に大きくはみ出すことがなく、すっきりとした美しい外観にできる。また、内トレイ５１がセットされた下ケース６３の上面を蓋ケース６４で被覆する状態では、蓋ケース６４の外周壁６４Ｂと下ケース６３の側壁６３Ｂとの間に隙間ができるのを極減して、下ケース６３と蓋ケース６４とで内トレイ５１の周囲を理想的に被覆できる。ただ、下ケースは、必ずしも全ての側壁を内側に傾斜させることなく、１辺ないし３辺の側壁を内側に傾斜する構造とすることもできる。さらに、下ケースは、必ずしも側壁を内側に傾斜する姿勢とする必要はなく、側壁を底プレートに対して垂直に折曲することもできる。
【００９２】
以上の下ケース６３は、紙製またはプラスチック製、あるいはこれ等を混合してなる材料からなるシート材や板材を折曲加工して所定の形状に成形される。これ等のシート材で構成される下ケース６３は、所定の厚さとすることで、折曲ないし湾曲が、ある程度は抑制される強度とする。例えば、紙製のシート材からなる下ケース６３は、厚さを０．１ｍｍ〜１０ｍｍ、好ましくは０．２ｍｍ〜５ｍｍ、さらに好ましくは０．３ｍｍ〜２ｍｍ、とする厚紙や段ボール紙で製造することができる。紙製の被覆部２は、安価で製造しやすく、また、使用後には廃棄しやすい特徴がある。プラスチックシートで製造される被覆部は、丈夫で破断されにくく、水に強い性質がある。
【００９３】
蓋ケース６４は、図２２と図２３に示すように、上面プレート６４Ａの外周縁に外周壁６４Ｂを設けてなる下方開口の箱形に形成している。下方開口の蓋ケース６４は、下ケース６３の上面を被覆できる内形であって、好ましくは、外周壁の内面が、内トレイを収納した下ケースの側面に接近してカバーする形状としている。
【００９４】
蓋ケース６４は、紙製またはプラスチック製のシート材または板材を折曲加工して、下方開口の箱形に形成することができる。この蓋ケース６４は、従来から使用されているこの種の蓋ケースと同様に、所定のパターンに切断された紙シートを折曲加工して上面プレート６４Ａの外周縁に外周壁６４Ｂを連結してなる箱形に形成することができる。
【００９５】
以上の商品収納ケースは、以下のようにして複数の商品３を定位置に配置しながら収納する。
（１）内トレイ５１の商品配置空間１１に商品３を配置する。商品３は、それぞれ商品配置空間１１に設けられた傾斜面１４、５４に沿う傾斜姿勢で配置される。複数の商品３は、略平行に配置されて、配列方向に収納される。
（２）下ケース６３に内トレイ５１をセットする。このとき、下ケース６３の側壁６３Ｂの上端縁を、内トレイ５１の外周縁に沿って設けた外周溝５８に案内する。この状態で、内トレイ５１の外周縁部が下ケース６３の側壁６３Ｂに連結されて、内トレイ５１が下ケース６３の定位置に位置決めされる。
なお、（１）の工程と（２）の工程は、順番を逆にすることもできる。
（３）図２２に示すように、商品３が収納された内トレイ５１を定位置にセットしてなる下ケース６３の上面を蓋ケース６４で被覆する。この状態で、下ケース６３と蓋ケース６４は、内トレイ５１の外周溝５８の内側と外側において、下ケース６３の側壁６３Ｂと蓋ケース６４の内面とで、内トレイ５１の外周縁部を挟着して保持する。具体的には、図２２の一部拡大断面図に示すように、側壁６３Ｂの上端面と蓋ケース６４の上面プレート６４Ａの内面とで内トレイ５１の外枠部１７を挟着する状態で保持し、側壁６３Ｂの上端部の外周面と蓋ケース６４の外周壁の内面とで内トレイ５１のスカート部１８を挟着する状態で保持する。
このように、商品が収納された内トレイの外周縁部を下ケースと蓋ケースによって挟着する状態で保持する構造は、下ケースと蓋ケースの内部で内トレイが相対的に移動するのを抑制して、内トレイ５１に収納された商品３が搬送時に位置ずれするのを抑制できる。
【産業上の利用可能性】
【００９６】
本発明に係る商品収納ケースは、複数の商品を収納して展示し、また収納された複数の商品を位置ずれしないように搬送する商品収納ケースとして、好適に利用できる。
【符号の説明】
【００９７】
１…内トレイ
２…被覆部
３…商品
１０…収納ブロック
１１…商品配置空間
１２…境界壁
１２Ｘ…成形凹部
１２Ｙ…平面部
１３…区画壁
１３Ｘ…成形凹部
１４…傾斜面
１４Ａ…第一傾斜面
１４Ｂ…第二傾斜面
１５…凸条
１５Ａ…第一凸条
１５Ｂ…第二凸条
１５Ｂａ…第二凸条
１５Ｂｂ…第二凸条
１６…分割トレイ
１７…外枠部
１８…スカート部
１９…破断切欠
２０…底シート
２１…折曲片
２１Ａ…内側折曲片
２１Ｂ…外側折曲片
２２…上面カバー部
２２Ａ…内側上面カバー部
２２Ｂ…外側上面カバー部
２２Ｂａ…第一外側上面カバー部
２２Ｂｂ…第二外側上面カバー部
２３…側面カバー部
２４…折曲ライン
２５…押圧部
２５Ａ…押圧面
２６…折り返し片
２７…折曲スペース部
２８…支持部
２９…つまみ部
３０…連結機構
３０Ａ…連結機構
３０Ｂ…連結機構
３１…係止片
３２…係止部
３２Ａ…スリット孔
３３…切り込み
３４…折曲ライン
３５…係止片
３５Ａ…係止部
３６…ラップ部
３７…接合点
３８…切断ライン
４２…被覆部
４４…折曲ライン
４５…押圧部
４５Ａ…凹凸面
４６…折り返し片
４７…折曲スペース部
４８…切り込み
４９…突出部
４９Ａ…傾斜面
５１…内トレイ
５２…境界壁
５２Ｘ…成形凹部
５２Ｙ…平面部
５３…区画壁
５３Ｘ…成形凹部
５３Ｙ…平面部
５４…傾斜面
５４Ａ…第一傾斜面
５４Ｂ…第二傾斜面
５５…段差凹部
５６…分割トレイ
５７…湾曲凸部
５８…外周溝
６２…被覆部
６３…下ケース
６３Ａ…底面プレート
６３Ｂ…側壁
６４…蓋ケース
６４Ａ…上面プレート
６４Ｂ…外周壁
６５…糊代
６６…係止片
６６Ａ…係止凸部
６７…切り込み
９１…下箱
９２…上箱
９３…スティックコーヒー
９４…保持シート
９５…切り込み
９６…枠体
９７…内シート
【図１】
2015009883.tif 000003
【図２】
2015009883.tif 000004
【図３】
2015009883.tif 000005
【図４】
2015009883.tif 000006
【図５】
2015009883.tif 000007
【図６】
2015009883.tif 000008
【図７】
2015009883.tif 000009
【図８】
2015009883.tif 000010
【図９】
2015009883.tif 000011
【図１０】
2015009883.tif 000012
【図１１】
2015009883.tif 000013
【図１２】
2015009883.tif 000014
【図１３】
2015009883.tif 000015
【図１４】
2015009883.tif 000016
【図１５】
2015009883.tif 000017
【図１６】
2015009883.tif 000018
【図１７】
2015009883.tif 000019
【図１８】
2015009883.tif 000020
【図１９】
2015009883.tif 000021
【図２０】
2015009883.tif 000022
【図２１】
2015009883.tif 000023
【図２２】
2015009883.tif 000024
【図２３】
2015009883.tif 000025
【図２４】
2015009883.tif 000026
【図２５】
2015009883.tif 000027
【図２６】
2015009883.tif 000028
【図２７】
2015009883.tif 000029
【図２８】
2015009883.tif 000030
【図２９】
2015009883.tif 000031
【図３０】
2015009883.tif 000032
【図３１】
2015009883.tif 000033
【図３２】
2015009883.tif 000034